(57)【要約】【課題】高いクリーニング性能とクリーニングブレード巻き込みの抑制とを両立することのできるトナー像担持体を提供する。【解決手段】トナー像を担持するための回転駆動可能なトナー像担持体において、該トナー像担持体の外周面に該トナー像担持体の回転方向に沿った溝が複数形成されており、該回転方向に直交する方向に複数の該溝が並んでいることによって、該トナー像担持体の外周面の該直交する方向の形状が周期的な凹凸形状であることを特徴とするトナー像担持体である。【選択図】図１
2010250355.tif 000002
【特許請求の範囲】
【請求項１】
トナー像を担持するための回転駆動可能なトナー像担持体において、該トナー像担持体の外周面に該トナー像担持体の回転方向に沿った溝が複数形成されており、該回転方向に直交する方向に複数の該溝が並んでいることによって、該トナー像担持体の外周面の該直交する方向の形状が周期的な凹凸形状であることを特徴とするトナー像担持体。
【請求項２】
前記凹凸形状の凹凸の振幅が０．２〜１．０μｍである請求項１に記載のトナー像担持体。
【請求項３】
前記外周面の純水に対する接触角が９０°以上である請求項１または２に記載のトナー像担持体。
【請求項４】
無端ベルト形状である請求項１〜３のいずれか一項に記載のトナー像担持体。
【請求項５】
最外層として塗布層を有する請求項１〜４のいずれか一項に記載のトナー像担持体。
【請求項６】
中間転写体である請求項１〜５のいずれか一項に記載のトナー像担持体。
【請求項７】
請求項５に記載の最外層として塗布層を有するトナー像担持体の製造方法であって、
該塗布層用の塗布液を被塗布体の外周面に塗布する塗布工程と、該塗布工程により塗布された塗布液にエネルギーを付与して該塗布液を硬化させる硬化工程とを有し、
該硬化工程が該エネルギーの密度の異なる領域を該塗布工程により塗布された塗布液の外周面に分布させて該塗布液を硬化させる工程であることを特徴とするトナー像担持体の製造方法。
【請求項８】
前記硬化工程が、前記塗布工程により塗布された塗布液の上に前記トナー像担持体の回転方向に沿ってスリットを有するマスクを配置した後、該マスクを介してエネルギーを該塗布液に付与することによって該塗布液を硬化させる工程である請求項７に記載のトナー像担持体の製造方法。
【請求項９】
請求項１〜５のいずれか一項に記載のトナー像担持体を有することを特徴とする電子写真装置。
【請求項１０】
前記トナー像担持体の外周面のトナーをクリーニングするためのクリーニング手段を有する請求項９に記載の電子写真装置。
【請求項１１】
前記クリーニング手段が前記トナー像担持体の外周面に当接配置されたクリーニングブレードを有する請求項１０に記載の電子写真装置。
【請求項１２】
前記電子写真装置は、電子写真感光体と、該電子写真感光体の外周面を帯電するための帯電手段と、該帯電手段により帯電された該電子写真感光体の外周面に露光光を照射して静電潜像を形成するための露光手段と、該露光手段により形成された該電子写真感光体の外周面の静電潜像をトナーによって現像してトナー像を形成するための現像手段と、中間転写体と、該現像手段により形成された該電子写真感光体の外周面のトナー像を該中間転写体の外周面に一次転写するための一次転写部材と、該一次転写部材により一次転写された該中間転写体の外周面のトナー像を転写材に二次転写するための二次転写部材とを有し、前記トナー像担持体は、該中間転写体であることを特徴とする請求項９〜１１のいずれか一項に記載の電子写真装置。
【発明の詳細な説明】
【技術分野】
【０００１】
本発明は、電子写真感光体や中間転写体などのトナー像担持体およびトナー像担持体の製造方法、ならびに、トナー像担持体を有する電子写真装置に関する。
【背景技術】
【０００２】
電子写真方式を採用した画像形成装置、いわゆる電子写真装置には様々な方式のものがあり、例えば転写の方式でみてみると、トナー像を電子写真感光体から転写材（紙やＯＨＴなど）へ直接転写する方式の電子写真装置や、トナー像を電子写真感光体から中間転写体へ一次転写し、その後中間転写体から転写材へ二次転写する方式（中間転写方式）の電子写真装置などがある。
【０００３】
電子写真装置においては、転写（一次転写や二次転写を含む）されきれずに電子写真感光体や中間転写体などのトナー像担持体の外周面に残留したトナー（以下「転写残トナー」という。）をいかに確実にクリーニング（除去）することができるかということが、大きな問題の１つである。
【０００４】
トナー像担持体の外周面の転写残トナーをクリーニングする方式の１つとして、トナー像担持体の外周面に当接配置したクリーニングブレードで該転写残トナーを掻きとって除去するという方式（以下「ブレードクリーニング方式」という。）が知られている。ブレードクリーニング方式のクリーニング性能を向上させる技術として、例えば、特許文献１には、中間転写体の表面の十点平均粗さを３．５μｍ以下にするという技術が開示されている。
【先行技術文献】
【特許文献】
【０００５】
【特許文献１】特開平１０−１４２９５６号公報
【発明の概要】
【発明が解決しようとする課題】
【０００６】
ところが、本発明者らが、最外層（最も外周面側の層）を浸漬塗布法により形成した、外周面の十点平均粗さが０．１μｍの無端ベルト形状の中間転写体（中間転写ベルト）とブレードクリーニング方式とを組み合わせてクリーニング性能の試験を行ったところ、試験中にクリーニングブレードが中間転写ベルトの回転に巻き込まれて損傷してしまう場合があった。
【０００７】
つまり、中間転写体などのトナー像担持体の外周面の平滑性が高い場合、クリーニングブレードによる転写残トナーの除去には好適であるものの、反面、クリーニングブレードがトナー像担持体の回転に巻き込まれやすくなるという問題がある。特に、トナー像担持体の最外層を塗布層（塗布液の塗布によって形成された層）とする場合、塗布液の物性によっては最外層の表面、すなわちトナー像担持体の外周面が極めて平滑になることがあり、それだけクリーニングブレードの巻き込みが発生しやすくなる。
【０００８】
本発明の目的は、ブレードクリーニング方式を採用した電子写真装置に用いた場合に、高いクリーニング性能とクリーニングブレード巻き込みの抑制とを両立することのできるトナー像担持体、該トナー像担持体の製造方法、および、該トナー像担持体を備えた電子写真装置を提供することにある。
【課題を解決するための手段】
【０００９】
本発明は、トナー像を担持するための回転駆動可能なトナー像担持体において、該トナー像担持体の外周面に該トナー像担持体の回転方向に沿った溝が複数形成されており、該回転方向に直交する方向に複数の該溝が並んでいることによって、該トナー像担持体の外周面の該直交する方向の形状が周期的な凹凸形状であることを特徴とするトナー像担持体である。
【００１０】
また、本発明は、上記トナー像担持体のうち最外層として塗布層を有するトナー像担持体の製造方法であって、該塗布層用の塗布液を被塗布体の外周面に塗布する塗布工程と、該塗布工程により塗布された塗布液にエネルギーを付与して該塗布液を硬化させる硬化工程とを有し、該硬化工程が該エネルギーの密度の異なる領域を該塗布工程により塗布された塗布液の外周面に分布させて該塗布液を硬化させる工程であることを特徴とするトナー像担持体の製造方法である。
【００１１】
また、本発明は、上記トナー像担持体を有することを特徴とする電子写真装置である。
【発明の効果】
【００１２】
本発明によれば、ブレードクリーニング方式を採用した電子写真装置に用いた場合に、高いクリーニング性能とクリーニングブレード巻き込みの抑制とを両立することのできるトナー像担持体、該トナー像担持体の製造方法、および、該トナー像担持体を備えた電子写真装置を提供することができる。
【図面の簡単な説明】
【００１３】
【図１】トナー像担持体の外周面の概略を示す図である。
【図２】トナー像担持体の外周面の別の概略を示す図である。
【図３】凹凸が繰り返し現れる形状の例を示す図である。
【図４】凹凸が繰り返し現れる形状の別の例を示す図である。
【図５】本発明のトナー像担持体であって無端ベルト形状のものを中間転写ベルトとして用いた電子写真装置の概略構成の一例を示す図である。
【発明を実施するための形態】
【００１４】
以下、本発明を詳細に説明する。
上述のとおり、本発明のトナー像担持体は、その外周面にトナー像担持体の回転方向（以下「回転方向」という。）に沿った溝が複数形成されているものである。また、回転方向に直交する方向（以下「直交方向」という。）に複数の溝が並んでいることによって、トナー像担持体の外周面の直交方向の形状は周期的な凹凸形状となっている。
【００１５】
本発明のトナー像担持体の外周面の概略を図１および２に例示する。
図１および２において、１０１はトナー像担持体であり、１０１ａは回転方向（トナー像担持体１０１の回転方向）であり、１０１ｂは直交方向（トナー像担持体１０１の回転方向１０１ａに直交する方向）であり、１０２はトナー像担持体１０１の回転方向１０１ａに沿って形成された溝である。溝１０２は直交方向１０１ｂに複数並んでいる。図１および２は、溝１０２の本数など、説明のために一部簡略化してあり、図１および２に示される形態に本発明が限定されるわけではない。
【００１６】
本発明において、溝１０２は直交方向１０１ｂに複数並んでいればよく、例えば、図１に示されるように溝１０２が回転方向１０１ａに途切れることなく形成されていてもよいし、図２に示されるように溝１０２のあるところとないところとが交互になるように溝１０２が形成されていてもよい。また、本発明においては、図１に示されるように直交方向１０１ｂの単位長さあたりの溝数（凹凸の周期）がどの位置で数えても同じになるように
溝を形成してもよいし、図２に示されるように直交方向１０１ｂの単位長さあたりの溝数（凹凸の周期）が数える位置によって異なるように溝を形成してもよい。
【００１７】
この直交方向１０１ｂの単位長さあたりの溝数（凹凸の周期）は、トナー像担持体の外周面のクリーニングブレードが当接する領域において、５０〜５０００ｃｍ−１の範囲にあることが好ましく、特には１００〜２００ｃｍ−１の範囲にあることがより好ましい。
【００１８】
トナー像担持体の外周面の直交方向の凹凸形状には特に制限はない。図３および４に、凹凸が繰り返し現れる形状の例を示す。図３および４中、３０１、４０１はトナー像担持体の外周面の直交方向の形状であり、Ｈは溝の深さ（凹凸の振幅）である。また、Ｄは凸部間距離であり、溝間距離に等しい。図４に示すように凹凸形状が一定でない場合、凸部の最も高い部位と凹部の最も深い部位との差をもって溝の深さ（凹凸の振幅）Ｈとする。また、凸部の中でも最も高い凸部同士の距離をＤとし、これを溝間距離とする。
【００１９】
トナー像担持体の外周面に上述のとおりの溝・形状を有させることで、トナー像担持体とクリーニングブレードとの接触面積を小さくすることができる上、トナー像担持体を回転駆動させてもトナー像担持体とクリーニングブレードとの接触面積を略一定に保つことができるため、トナー像担持体に対するクリーニングブレードの当接状態および摺動状態を安定化させることができ、よって、クリーニングブレードがトナー像担持体の回転に巻き込まれてしまうことを抑制することができる。
【００２０】
トナー像担持体の外周面のトナーを安定して十分にクリーニング（除去）するという観点から、トナー像担持体の外周面の凹凸形状の凹凸の振幅（溝の深さ）および溝間距離は、使用するトナーの平均粒径よりも小さいことが好ましく、具体的には、通常使用するトナーの平均粒径は数μｍであるから、凹凸の振幅（溝の深さ）は０．２〜１．０μｍの範囲にあることが好ましく、特には０．６μｍ以下であることがより好ましい。また、溝間距離は５０〜１００μｍの範囲にあることが好ましい。凹凸の振幅（溝の深さ）や溝間距離が上記範囲にあれば、クリーニングブレードの当接状態および摺動状態の安定化にも効果がある。
【００２１】
本発明のトナー像担持体の形状としては、例えば、ベルト形状やドラム形状などが挙げられるが、電子写真装置内に配置する際の自由度が増し、スペースの有効利用による電子写真装置本体の小型化やコストダウンを図ることができるという点で、ベルト形状が好ましい。
【００２２】
また、トナー像担持体の外周面に上述のとおりの溝・形状を有させるためには、外周面形状の制御のしやすさの観点から、トナー像担持体の最外層を塗布によって形成することが好ましい。具体的には、塗布液を被塗布体（トナー像担持体の最外層を形成する直前のもの）に塗布し、湿潤状態の膜を形成した後、該塗布液（湿潤状態の膜）を硬化させるためのエネルギーを該塗布液に付与する際に、凹部にしたい部位に付与するエネルギーの密度（単位面積あたりのエネルギー量のこと。）と凸部にしたい部位に付与するエネルギーの密度とを異ならせることで、すなわち、エネルギーの密度の異なる領域を分布させて塗布液を硬化させることで、トナー像担持体の外周面に上述のとおりの溝・形状を有させることができる。
【００２３】
エネルギーの密度の異なる領域は、例えば、適当な幅および間隔で形成されておりかつ適当な配置で形成されている細長の開口部（スリット）を有するマスク（スリットを有するマスク）を介して、上記硬化させるためのエネルギーを上記塗布液に付与することによって形成することができる。マスクは、そのスリットの長手方向がトナー像担持体の回転方向になるよう、塗布液の上に配置する。
【００２４】
塗布液に付与するエネルギーとしては、塗布液（湿潤状態の膜）に含まれる結着材料（樹脂など）の種類によって適宜選択することができ、例えば、塗布液に光硬化性の結着材料が含まれている場合は、エネルギーとして光エネルギーを用いることができ、塗布液に熱硬化性の結着材料が含まれている場合は、エネルギーとして熱エネルギーを用いることができる。
【００２５】
その他にも、トナー像担持体の外周面に上述のとおりの溝・形状を有させる方法として、トナー像担持体の最外層用塗布液に微粒子を混在させる方法や、トナー像担持体の外周面を機械加工する方法や、最外層用塗布液を被塗布体に塗布し、湿潤状態の膜を形成した後、これに周期性を有する鋸刃状の工具を当てて、この鋸刃状を湿潤状態の膜の表面（外周面）に転写する方法なども挙げられる。
【００２６】
ただし、最外層用塗布液に微粒子を混在させる方法の場合、トナー像担持体の外周面の直交方向に周期的な凹凸形状を形成することは容易であるものの、回転方向に沿った溝を複数形成することは難しい。また、外周面を機械加工する方法の場合、機械加工で得られる面形状は機械加工用工具の先端形状を反映した形状となるため、トナー像担持体の外周面に回転方向に沿った溝を複数形成することは容易であるものの、直交方向に周期的な凹凸形状を形成することは難しい。また、鋸刃状を湿潤状態の膜の表面（外周面）に転写する方法の場合、鋸刃状を転写した後に塗布液（湿潤状態の膜）を硬化する際に、転写された鋸刃状を維持することができるか否か、塗布液の物性に大きく依存するため、汎用性に欠ける。
【００２７】
また、本発明のトナー像担持体の最外層の極表面には、最外層用塗布液に含まれる添加剤がトナー像担持体の外周面側に偏在してなるスキン層（薄い膜）が形成されていてもよい。塗布液中の添加剤は塗布液中の結着材料などとの相互作用によって偏在することがある。添加剤の種類によっては、電子写真特性の向上が図られることがある。
【００２８】
また、本発明のトナー像担持体の外周面は、クリーニング性向上およびクリーニングブレードの滑り性向上の観点から、撥水性（離型性）が高いことが好ましく、具体的には、トナー像担持体の外周面の純水に対する接触角は９０°以上であることが好ましく、特には９５°以上であることがより好ましい。
【００２９】
図５に、本発明のトナー像担持体であって無端ベルト形状のものを中間転写ベルト（無端ベルト形状の中間転写体）として用いた電子写真装置の概略構成の一例を示す。
【００３０】
図５において、１は円筒状の電子写真感光体であり、軸２を中心に矢印方向に所定の周速度で回転駆動される。
【００３１】
回転駆動される電子写真感光体１の外周面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。この際の露光光は、目的のカラー画像の第１色成分像（例えばイエロー成分像）に対応した露光光である。こうして電子写真感光体１の外周面に、目的のカラー画像の第１色成分像に対応した第１色成分静電潜像（イエロー成分静電潜像）が順次形成されていく。
【００３２】
張架ローラー１２および二次転写対向ローラー１３によって張架された中間転写ベルト１１は、矢印方向に電子写真感光体１とほぼ同じ周速度（例えば電子写真感光体１の周速度に対して９７〜１０３％）で回転駆動される。
【００３３】
電子写真感光体１の外周面に形成された第１色成分静電潜像は、第１色用現像手段（イエロー用現像手段）５Ｙの現像剤に含まれる第１色トナー（イエロートナー）により現像されて第１色トナー像（イエロートナー像）となる。次いで、電子写真感光体１の外周面に形成担持されている第１色トナー像が、一次転写部材６ｐからの一次転写バイアスによって、電子写真感光体１と一次転写部材（一次転写ローラー）６ｐとの間を通過する中間転写ベルト１１の外周面に順次一次転写されていく。
【００３４】
第１色トナー像転写後の電子写真感光体１の外周面は、電子写真感光体用クリーニング手段７ｐ（７ｐｂはクリーニングブレード）によって一次転写残りの現像剤（トナー）の除去を受けて清浄面化された後、次色の画像形成に使用される。
【００３５】
第２色トナー像（マゼンタトナー像）、第３色トナー像（シアントナー像）、ならびに、第４色トナー像（ブラックトナー像）も、第１色トナー像と同様にして、それぞれ、帯電手段３、露光光４（第２色成分像に対応した露光光）および第２色用現像手段５Ｍ、帯電手段３、露光光４（第３色成分像に対応した露光光）および第３色用現像手段５Ｃ、ならびに、帯電手段３、露光光４（第４色成分像に対応した露光光）および第４色用現像手段５Ｋによって、電子写真感光体１の外周面に形成され、中間転写ベルト１１の外周面に順次転写される。こうして中間転写ベルト１１の外周面に目的のカラー画像に対応した合成トナー像が形成される。第１色〜第４色の一次転写の間は、二次転写部材（二次転写ローラー）６ｓ、中間転写ベルト用クリーニング手段７ｉのクリーニングブレード７ｉｂは中間転写ベルト１１の外周面から離れている。
【００３６】
中間転写ベルト１１の外周面に形成された合成トナー像は、二次転写部材６ｓからの二次転写バイアスによって、転写材供給手段（不図示）から二次転写対向ローラー１３・中間転写ベルト１１と二次転写部材６ｓとの間（当接部）に中間転写ベルト１１の回転と同期して取り出されて給送された転写材（紙など）Ｐに順次二次転写されていく。
【００３７】
合成トナー像の転写を受けた転写材Ｐは、中間転写ベルト１１の外周面から分離されて定着手段８へ導入されて像定着を受けることによりカラー画像形成物（プリント、コピー）として装置外へプリントアウトされる。
【００３８】
合成トナー像転写後の中間転写ベルト１１の外周面には、中間転写ベルト用クリーニング手段７ｉのクリーニングブレード７ｉｂが当接され、クリーニングブレード７ｉｂによって二次転写残りの現像剤（トナー）の除去を受けて清浄面化される。
【００３９】
また、電子写真感光体用クリーニング手段７ｐによる転写残りの現像剤（トナー）除去後の電子写真感光体１の外周面を、前露光手段からの前露光光により除電処理してもよいが、図５に示すように、帯電手段３が帯電ローラーなどを用いた接触帯電手段である場合は、前露光は必ずしも必要ではない。
【００４０】
なお、本発明のトナー像担持体は、上述のように中間転写体として用いてもよいし、それ以外の、クリーニングブレードによるトナーのクリーニング（除去）が必要なトナー像の担持体（例えば、転写材搬送部材や電子写真感光体など）に用いてもよい。
【００４１】
また、本発明における「トナー像」には、最終的にプリント、コピーとして出力されるトナーの画像に限られず、例えば、転写材搬送部材などの外周面に形成されるトナーパッチなども含まれる。
【実施例】
【００４２】
以下に、具体的な実施例を挙げて本発明をさらに詳細に説明する。ただし、本発明はこれらに限定されるものではない。
以下に記載する手順によって、無端ベルト１〜１２を作製した。
【００４３】
（実施例１）
・無端ベルト１の作製
カーボンブラックを分散したポリフッ化ビニリデン（呉羽化学工業（株）製）製の厚さ５０μｍシートをアルミニウム製円筒の外周に２周巻きつけ、わずかな隙間（約１００μｍ）を有して嵌合しうるＳＵＳ製円筒で嵌合させた後、該シートを内側のアルミニウム製円筒と外側のＳＵＳ製円筒とで挟み込むようにした。
【００４４】
次に、アルミニウム製円筒とＳＵＳ製円筒とで挟み込んだまま、ポリフッ化ビニリデンの溶融温度まで均一加熱して冷却した後、厚さ１００μｍの無端ベルト基体を得た。なお、ＳＵＳ製円筒の内周面は、切削加工によって、円筒幅方向（ＳＵＳ製円筒の軸に平行な方向）に周期が２０μｍで振幅が１μｍの鋸刃形状となるように仕上げられており、無端ベルト基体の外周面には、このＳＵＳ製円筒の内周面の形状が転写されていた。
【００４５】
この無端ベルト基体の外周面に、ポリマーの官能基としてフッ素原子が配されたアクリル樹脂（大日本インキ化学工業（株）製）の溶液を浸漬塗布した後、８０℃に保温した電気炉に１０分間放置して、平均膜厚１μｍの表面層を有する無端ベルト１を得た。無端ベルト１は、基体と表面層との２層構造である。
【００４６】
無端ベルト１の外周面は、概略、図１および図４に例示した形状を有していた。無端ベルト基体の外周面は不連続な鋸刃形状であったが、表面層形成後の無端ベルト１の外周面は滑らかに連続する凹凸形状であった。
【００４７】
（比較例１）
・無端ベルト２の作製
無端ベルト１の表面層を形成する際に用いたポリマーの官能基としてフッ素原子が配されたアクリル樹脂を無機微粒子を分散含有させたアクリル樹脂（ＪＳＲ（株）製）に変更した以外は、無端ベルト１と同様にして無端ベルトを作製し、これを無端ベルト２とした。
無端ベルト２の外周面は比較的平滑となり周期性は確認されなかった。
【００４８】
（比較例２）
・無端ベルト３の作製
無端ベルト１の表面層を形成する際に用いたポリマーの官能基としてフッ素原子が配されたアクリル樹脂を微粒子を分散含有させたアクリル樹脂（住友大阪セメント（株）製）に変更した以外は、無端ベルト１と同様にして無端ベルトを作製し、これを無端ベルト３とした。
無端ベルト３の外周面は比較的平滑となり周期性は確認されなかった。
【００４９】
（比較例３）
・無端ベルト４の作製
無端ベルト１の表面層を形成する際に用いたポリマーの官能基としてフッ素原子が配されたアクリル樹脂をアクリル樹脂（信越シリコーン製）に変更した以外は、無端ベルト１と同様にして無端ベルトを作製し、これを無端ベルト４とした。
無端ベルト４の外周面は比較的平滑となり周期性は確認されなかった。
【００５０】
（実施例２）
・無端ベルト５の作製
カーボンブラックを分散したポリフッ化ビニリデン（呉羽化学工業（株）製）製の厚さ５０μｍシートをアルミニウム製円筒の外周に２周巻きつけ、わずかな隙間を有して嵌合しうるＳＵＳ製円筒で嵌合させた後、該シートを内側のアルミニウム製円筒と外側のＳＵＳ製円筒とで挟み込むようにした。
【００５１】
次に、アルミニウム製円筒とＳＵＳ製円筒とで挟み込んだまま、ポリフッ化ビニリデンの溶融温度まで均一加熱して冷却した後、厚さ１００μｍの無端ベルト基体を得た。なお、ＳＵＳ製円筒の内周面は、バフ研磨によって、円筒幅方向が平滑な鏡面状態となるように仕上げられていた。
【００５２】
この無端ベルト基体の外周面に、撥水性シリコーン樹脂を添加したアクリル樹脂（ＪＳＲ（株）製）の溶液を浸漬塗布して湿潤状態の膜を形成した後、この湿潤状態の膜（塗布液）の上に、無端ベルトの周方向（回転方向）に沿って、並列して配置された複数のスリットを有するマスク（以下、単に「スリットを有するマスク」という。）を配置し、該マスクを介して照度１００ｍＪ／ｃｍ２の紫外線を該湿潤状態の膜に照射して無端ベルト５を得た。なお、マスクは、そのスリットの長手方向がトナー像担持体の回転方向になるように配置した。無端ベルト５の極表面には、撥水性シリコーン樹脂が偏在してなるスキン層が形成されていた。無端ベルト５は、基体と表面層との２層構造（スキン層をカウントすれば、表面層はスキン層とスキン層でない部分とに分けられるから、合計３層構造）である。
【００５３】
マスクのスリットのピッチは２００μｍであり、スリットの幅とスリットでない部分の幅との比は１：１であった。
無端ベルト５の外周面は、概略、図１および図４に例示した形状を有していた。
【００５４】
（実施例３）
・無端ベルト６の作製
スリットを有するマスクをスリットのピッチが１００μｍ（スリットの幅とスリットでない部分の幅との比は１：１）のものに変更した以外は、無端ベルト５と同様にして無端ベルトを作製し、これを無端ベルト６とした。
無端ベルト６の外周面は、概略、図１および図４に例示した形状を有していた。
【００５５】
（実施例４）
・無端ベルト７の作製
スリットを有するマスクをスリットとスリットでない部分とが無端ベルトの回転方向において交互になるようにスリットが配置されたもの（マスクのスリットのピッチは１００μｍ、スリットの幅とスリットでない部分の幅との比は１：１）に変更した以外は、無端ベルト５と同様にして無端ベルトを作製し、これを無端ベルト７とした。
無端ベルト７の外周面は、概略、図２および図４に例示した形状を有していた。
【００５６】
（実施例５）
・無端ベルト８の作製
スリットを有するマスクをスリットとスリットでない部分とが無端ベルトの回転方向において交互になるようにスリットが配置されたもの（マスクのスリットのピッチは５０μｍ、スリットの幅とスリットでない部分の幅との比は１：１）に変更した以外は、無端ベルト５と同様にして無端ベルトを作製し、これを無端ベルト８とした。
無端ベルト８の外周面は、概略、図２および図３に例示した形状を有していた。
【００５７】
（実施例６）
・無端ベルト９の作製
スリットを有するマスクをスリットとスリットでない部分とが無端ベルトの回転方向において交互になるようにスリットが配置されたもの（マスクのスリットのピッチは５０μｍ、スリットの幅とスリットでない部分の幅との比は１：１）に変更し、さらに、表面層を形成する際に用いたアクリル樹脂（ＪＳＲ（株）製）に撥水性シリコーン樹脂を添加しなかった以外は、無端ベルト５と同様にして無端ベルトを作製し、これを無端ベルト９とした。
無端ベルト９の外周面は、概略、図２および図３に例示した形状を有していた。
【００５８】
（実施例７）
・無端ベルト１０の作製
スリットを有するマスクをスリットのピッチが２０μｍ（スリットの幅とスリットでない部分の幅との比は１：１）のものに変更した以外は、無端ベルト５と同様にして無端ベルトを作製し、これを無端ベルト１０とした。
無端ベルト１０の外周面は、概略、図１および図３に例示した形状を有していた。
【００５９】
（比較例４）
・無端ベルト１１の作製
カーボンブラックを分散したポリフッ化ビニリデン（呉羽化学工業（株）製）製の厚さ５０μｍシートをアルミニウム製円筒の外周に２周巻きつけ、わずかな隙間を有して嵌合しうるＳＵＳ製円筒で嵌合させた後、該シートを内側のアルミニウム製円筒と外側のＳＵＳ製円筒とで挟み込むようにした。
【００６０】
次に、アルミニウム製円筒とＳＵＳ製円筒とで挟み込んだまま、ポリフッ化ビニリデンの溶融温度まで均一加熱して冷却した後、厚さ１００μｍの無端ベルト基体を得た。なお、ＳＵＳ製円筒の内周面は、バフ研磨によって、円筒幅方向が平滑な鏡面状態となるように仕上げられていた。
【００６１】
この無端ベルト基体の外周面に、撥水性シリコーン樹脂を添加したアクリル樹脂（ＪＳＲ（株）製）の溶液を浸漬塗布して湿潤状態の膜を形成した後、照度１００ｍＪ／ｃｍ２の紫外線を該湿潤状態の膜に照射して無端ベルト１１を得た。無端ベルト１１の極表面には、撥水性シリコーン樹脂が偏在してなるスキン層が形成されていた。無端ベルト１１は、基体と表面層との２層構造（スキン層をカウントすれば、表面層はスキン層とスキン層でない部分とに分けられるから、合計３層構造）である。
【００６２】
（比較例５）
・無端ベルト１２の作製
表面層を形成する際に用いたアクリル樹脂（ＪＳＲ（株）製）に撥水性シリコーン樹脂を添加しなかった以外は、無端ベルト１１と同様にして無端ベルトを作製し、これを無端ベルト１２とした。
【００６３】
（評価）
・無端ベルト１〜１２の外周面の形状の測定
測定器には、触針式表面粗さ計（商品名：ＳＥ−３４００、（株）小坂研究所製）を用い、測定長０．８ｍｍ、スキャン速度０．１ｍｍ／ｓの条件で測定した。無端ベルトの外周面の直交方向（回転方向に直交する方向）の形状とは、該直交方向に走査させて得られた曲線（粗さ曲線）で表されるものである。この粗さ曲線から周期性の有無を判断し、周期を上記「Ｄ」、振幅を上記「Ｈ」として測定した。周期性が確認されない場合は十点平均粗さをＨの代用とした。
【００６４】
・無端ベルト１〜１２の外周面の純水に対する接触角の測定
具体的には、純水を満たした注射器から針先端に水滴を作り、この水滴を無端ベルトの外周面に静かに載せ、注射針を水滴から遠ざけた後、無端ベルトの外周面と水滴とのなす角を測定した。５箇所同様に測定して平均をとって無端ベルトの外周面の純水に対する接触角とした。
【００６５】
・クリーニングブレードの巻き込み特性の評価
無端ベルト１〜１２を中間転写ベルトとして概略図６に示す構成の電子写真装置にそれぞれ搭載し、中間転写ベルト用クリーニングブレードの巻き込み特性を評価した。
【００６６】
具体的には、無端ベルト（中間転写ベルト）に１０ｍｍ幅の帯状にトナーを１回だけ転写させた後、中間転写ベルト用クリーニングブレードを当接させ、搭載した無端ベルト（中間転写ベルト）を５０回自転させ、中間転写ベルト用クリーニングブレードが無端ベルト（中間転写ベルト）に巻き込まれるまでの無端ベルト（中間転写ベルト）の自転回数を測定した。測定結果を以下の３つのグレードに分類した。
Ａ：３０回転以上
Ｂ：１０回転以上３０回転未満
Ｃ：１０回転未満
【００６７】
・クリーニングブレードのクリーニング特性の評価
無端ベルト１〜１２を中間転写ベルトとして概略図６に示す構成の電子写真装置にそれぞれ搭載し、中間転写ベルト用クリーニングブレードのクリーニング特性を評価した。
【００６８】
具体的には、無端ベルト（中間転写ベルト）に１０ｍｍ幅の帯状にトナーを２回転写させ、トナー全量をクリーニングブレードで除去できるかを確認した。測定結果を以下の４つのグレードに分類した。
ＡＡ：１００％トナーを除去でき、かつ、１０万回繰り返し後も同様だった。
Ａ：１００％トナーを除去できた。
Ｂ：９５％以上トナーを除去できたが、一部除去できずに残った。
Ｃ：９０％未満しかトナーを除去できず、大半は除去できずに残った。
【００６９】
評価結果を表１に示す。表１中、「接触角」とは上記「外周面の純水に対する接触角」を意味し、「巻き込み特性」とは上記「クリーニングブレードの巻き込み特性」を意味し、「クリーニング特性」とは上記「クリーニングブレードのクリーニング特性」を意味する。
【００７０】
【表１】
2010250355.tif 000003
【００７１】
また、上記の無端ベルト７および８と同じように作製した無端ベルトを無端ベルト形状の電子写真感光体（感光ベルト）や転写材搬送部材（転写材搬送ベルト）として用いて評価したところ、巻き込み特性およびクリーニング特性ともに良好な結果が得られた。
【産業上の利用可能性】
【００７２】
本発明によれば、ブレードクリーニング方式を採用した電子写真装置に用いた場合に、高いクリーニング性能とクリーニングブレード巻き込みの抑制とを両立することのできるトナー像担持体、該トナー像担持体の製造方法、および、該トナー像担持体を備えた電子写真装置を提供することができる。
【符号の説明】
【００７３】
１  電子写真感光体
２  軸
３  帯電手段
４  露光光
５Ｙ  第１色用現像手段
５Ｍ  第２色用現像手段
５Ｃ  第３色用現像手段
５Ｋ  第４色用現像手段
６ｐ  一次転写部材
６ｓ  二次転写部材
７ｉ  中間転写ベルト用クリーニング手段
７ｉｂ、７ｐｂ  クリーニングブレード
７ｐ  電子写真感光体用クリーニング手段
８  定着手段
１１  中間転写ベルト
１２  張架ローラー
１３  二次転写対向ローラー
１０１  トナー像担持体
１０１ａ  回転方向（トナー像担持体１０１の回転方向）
１０１ｂ  直交方向（トナー像担持体１０１の回転方向１０１ａに直交する方向）
１０２  トナー像担持体１０１の回転方向１０１ａに沿って形成された溝
３０１、４０１  トナー像担持体の外周面の直交方向の形状
Ｄ  凸部間距離
Ｈ  溝の深さ（凹凸の振幅）
Ｐ  転写材
【図１】
2010250355.tif 000004
【図２】
2010250355.tif 000005
【図３】
2010250355.tif 000006
【図４】
2010250355.tif 000007
【図５】
2010250355.tif 000008
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
トナー像を担持するための回転駆動可能なトナー像担持体において、該トナー像担持体の外周面に該トナー像担持体の回転方向に沿った溝が複数形成されており、該回転方向に直交する方向に複数の該溝が並んでいることによって、該トナー像担持体の外周面の該直交する方向の形状が周期的な凹凸形状であり、該トナー像担持体の外周面の該直交する方向の単位長さあたりの該溝の数が５０〜５０００ｃｍ−１の範囲にあることを特徴とするトナー像担持体。
【請求項２】
前記凹凸形状の凹凸の振幅が０．２〜１．０μｍである請求項１に記載のトナー像担持体。
【請求項３】
前記外周面の純水に対する接触角が９０°以上である請求項１または２に記載のトナー像担持体。
【請求項４】
無端ベルト形状である請求項１〜３のいずれか一項に記載のトナー像担持体。
【請求項５】
請求項１〜４のいずれか一項に記載のトナー像担持体を有することを特徴とする電子写真装置。
【請求項６】
前記トナー像担持体の外周面のトナーをクリーニングするためのクリーニング手段を有する請求項５に記載の電子写真装置。
【請求項７】
前記クリーニング手段が前記トナー像担持体の外周面に当接配置されたクリーニングブレードを有する請求項６に記載の電子写真装置。
【請求項８】
前記電子写真装置は、電子写真感光体と、該電子写真感光体の外周面を帯電するための帯電手段と、該帯電手段により帯電された該電子写真感光体の外周面に露光光を照射して静電潜像を形成するための露光手段と、該露光手段により形成された該電子写真感光体の外周面の静電潜像をトナーによって現像してトナー像を形成するための現像手段と、中間転写体と、該現像手段により形成された該電子写真感光体の外周面のトナー像を該中間転写体の外周面に一次転写するための一次転写部材と、該一次転写部材により一次転写され
た該中間転写体の外周面のトナー像を転写材に二次転写するための二次転写部材とを有し、
前記トナー像担持体は、該中間転写体であることを特徴とする請求項５〜７のいずれか一項に記載の電子写真装置。
【手続補正３】
【補正対象書類名】明細書
【補正対象項目名】０００１
【補正方法】変更
【補正の内容】
【０００１】
本発明は、電子写真感光体や中間転写体などのトナー像担持体および該トナー像担持体を有する電子写真装置に関する。
【手続補正４】
【補正対象書類名】明細書
【補正対象項目名】０００８
【補正方法】変更
【補正の内容】
【０００８】
本発明の目的は、ブレードクリーニング方式を採用した電子写真装置に用いた場合に、高いクリーニング性能とクリーニングブレード巻き込みの抑制とを両立することのできるトナー像担持体、および、該トナー像担持体を備えた電子写真装置を提供することにある。
【手続補正５】
【補正対象書類名】明細書
【補正対象項目名】０００９
【補正方法】変更
【補正の内容】
【０００９】
本発明は、トナー像を担持するための回転駆動可能なトナー像担持体において、該トナー像担持体の外周面に該トナー像担持体の回転方向に沿った溝が複数形成されており、該回転方向に直交する方向に複数の該溝が並んでいることによって、該トナー像担持体の外周面の該直交する方向の形状が周期的な凹凸形状であり、該トナー像担持体の外周面の該直交する方向の単位長さあたりの該溝の数が５０〜５０００ｃｍ−１の範囲にあることを特徴とするトナー像担持体である。
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】変更
【補正の内容】
【００１２】
本発明によれば、ブレードクリーニング方式を採用した電子写真装置に用いた場合に、高いクリーニング性能とクリーニングブレード巻き込みの抑制とを両立することのできるトナー像担持体、および、該トナー像担持体を備えた電子写真装置を提供することができる。
【手続補正８】
【補正対象書類名】明細書
【補正対象項目名】００７２
【補正方法】変更
【補正の内容】
【００７２】
本発明によれば、ブレードクリーニング方式を採用した電子写真装置に用いた場合に、高いクリーニング性能とクリーニングブレード巻き込みの抑制とを両立することのできるトナー像担持体、および、該トナー像担持体を備えた電子写真装置を提供することができる。